(57)【要約】【課題】簡単な構成で読取画像の倍率不良を低減できる画像読取装置及び画像形成装置を提供する。【解決手段】原稿Ｒの画像を読み取る読取部８０と、読取部８０に原稿Ｒを搬送する搬送部７０とを備えた画像読取装置４０において、搬送部７０が、読取部８０の上流側に配して回転駆動される第１ローラ７５ａと、読取部８０の下流側に配して回転駆動される第２ローラ７５ｂと、第１ローラ７５ａと第２ローラ７５ｂとの間であって読取部８０の上流側及び下流側の少なくとも一方に配して原稿Ｒを案内するガイド部材１００と、原稿Ｒに対するガイド部材１００の搬送抵抗を可変する可変部１１０、１２０とを有し、原稿Ｒのサイズに応じて可変部１１０、１２０により搬送抵抗を可変する。【選択図】図４
2018074453.tif 000002
【特許請求の範囲】
【請求項１】
原稿の画像を読み取る読取部と、前記読取部に原稿を搬送する搬送部とを備えた画像読取装置において、前記搬送部が、前記読取部の上流側に配して回転駆動される第１ローラと、前記読取部の下流側に配して回転駆動される第２ローラと、前記第１ローラと前記第２ローラとの間であって前記読取部の上流側及び下流側の少なくとも一方に配して原稿を案内するガイド部材と、原稿に対する前記ガイド部材の搬送抵抗を可変する可変部とを有し、原稿のサイズに応じて前記可変部により搬送抵抗を可変することを特徴とする画像読取装置。
【請求項２】
前記ガイド部材が前記第１ローラ及び前記第２ローラの回転軸に平行な回転軸で回転可能な複数のコロから成ることを特徴とする請求項１に記載の画像読取装置。
【請求項３】
前記可変部により所定の前記コロの回転を停止させる状態と回転可能な状態とに切り替えることを特徴とする請求項２に記載の画像読取装置。
【請求項４】
前記可変部が前記コロに接離する接離部材を有することを特徴とする請求項３に記載の画像読取装置
【請求項５】
前記可変部により所定の前記コロが原稿の搬送方向に直交する方向に移動することを特徴とする請求項２に記載の画像読取装置。
【請求項６】
紙種に応じて前記可変部により搬送抵抗を可変することを特徴とする請求項１〜請求項５のいずれかに記載の画像読取装置。
【請求項７】
原稿の画像を読み取る読取部と、前記読取部に原稿を搬送する搬送部とを備えた画像読取装置において、前記搬送部が、前記読取部の上流側に配して回転駆動される第１ローラと、前記読取部の下流側に配して回転駆動される第２ローラと、前記第１ローラと前記第２ローラとの間であって前記読取部の上流側及び下流側の少なくとも一方に配して原稿を案内するガイド部材とを有し、前記ガイド部材が前記第１ローラ及び前記第２ローラの回転軸に平行な回転軸で回転可能な複数のコロから成るとともに、原稿のサイズに応じて原稿に接触する前記コロの数が異なり、所定のサイズよりも小さい原稿に対して搬送方向に直交する方向の中央部が前記コロに接触して両端部が前記コロに非接触であり、該サイズよりも大きい原稿に対して搬送方向に直交する方向の両端部が前記コロに接触することを特徴とする画像読取装置。
【請求項８】
請求項１〜請求項７のいずれかに記載の画像読取装置を備えることを特徴とする画像形成装置。
【発明の詳細な説明】
【技術分野】
【０００１】
本発明は画像読取装置及びそれを備えた画像形成装置に関するものである。
【背景技術】
【０００２】
複写機やファクシミリなどの画像形成装置は原稿に印刷された画像を読み取ってその画像データを得るための画像読取装置を備える。画像読取装置は原稿を読み取る読取部と、読取部に原稿を搬送する搬送部とを備える。搬送部は複数のローラを有し、対向する一対のローラにより原稿を挟持して一方のローラを回転駆動することにより原稿を搬送する。
【０００３】
原稿の搬送速度が変動すると、原稿を読取部で読み取る際に読取画像が原稿画像に対して搬送方向に伸縮して倍率不良が生じる場合がある。このような問題を解決すべく提案された従来の画像読取装置の一例が特許文献１に開示されている。
【０００４】
特許文献１に記載された画像読取装置は、原稿のサイズに応じてローラの回転速度を可変する。これにより、原稿のサイズにより搬送抵抗が異なっても搬送速度の変動を抑制することができる。従って、読取画像の倍率のばらつきを小さくし、倍率不良を低減することができる。
【先行技術文献】
【特許文献】
【０００５】
【特許文献１】特開２０１１−２３９１２４号公報（第５頁〜第１１頁、第６図）
【発明の概要】
【発明が解決しようとする課題】
【０００６】
しかしながら、上記特許文献１に開示された画像読取装置によると、ローラの駆動制御が複雑になる問題があった。
【０００７】
本発明は、上記の点に鑑みなされたものであり、簡単な構成で読取画像の倍率不良を低減できる画像読取装置及び画像形成装置を提供することを目的とする。
【課題を解決するための手段】
【０００８】
上記の課題を解決するために本発明は、原稿の画像を読み取る読取部と、前記読取部に原稿を搬送する搬送部とを備えた画像読取装置において、前記搬送部が、前記読取部の上流側に配して回転駆動される第１ローラと、前記読取部の下流側に配して回転駆動される第２ローラと、前記第１ローラと前記第２ローラとの間であって前記読取部の上流側及び下流側の少なくとも一方に配して原稿を案内するガイド部材と、原稿に対する前記ガイド部材の搬送抵抗を可変する可変部とを有し、原稿のサイズに応じて前記可変部により搬送抵抗を可変することを特徴とする。
【０００９】
また本発明は上記構成の画像読取装置において、前記ガイド部材が前記第１ローラ及び前記第２ローラの回転軸に平行な回転軸で回転可能な複数のコロから成ることを特徴とする。
【００１０】
また本発明は上記構成の画像読取装置において、前記可変部により所定の前記コロの回転を停止させる状態と回転可能な状態とに切り替えることを特徴とする。
【００１１】
また本発明は上記構成の画像読取装置において、前記可変部が前記コロに接離する接離部材を有することを特徴とする。
【００１２】
また本発明は上記構成の画像読取装置において、前記可変部により所定の前記コロが原稿の搬送方向に直交する方向に移動することを特徴とする。
【００１３】
また本発明は上記構成の画像読取装置において、紙種に応じて前記可変部により搬送抵抗を可変することを特徴とする。
【００１４】
また本発明は、原稿の画像を読み取る読取部と、前記読取部に原稿を搬送する搬送部とを備えた画像読取装置において、前記搬送部が、前記読取部の上流側に配して回転駆動される第１ローラと、前記読取部の下流側に配して回転駆動される第２ローラと、前記第１ローラと前記第２ローラとの間であって前記読取部の上流側及び下流側の少なくとも一方に配して原稿を案内するガイド部材とを有し、前記ガイド部材が前記第１ローラ及び前記第２ローラの回転軸に平行な回転軸で回転可能な複数のコロから成るとともに、原稿のサイズに応じて原稿に接触する前記コロの数が異なり、所定のサイズよりも小さい原稿に対して搬送方向に直交する方向の両端部が前記コロに非接触であり、該サイズよりも大きい原稿に対して搬送方向に直交する方向の両端部が前記コロに接触することを特徴とする。
【００１５】
また本発明の画像形成装置は、上記各構成の画像読取装置を備えることを特徴とする。
【発明の効果】
【００１６】
本発明によると、原稿を案内するガイド部材の搬送抵抗を可変する可変部を備え、原稿のサイズに応じて可変部により搬送抵抗を可変するので、原稿のサイズによる読取画像の倍率のばらつきを小さくすることができる。従って、簡単な構成で読取画像の倍率不良を低減することができる。
【００１７】
また本発明によると、原稿のサイズに応じて原稿に接触するコロの数が異なるので、原稿のサイズによる読取画像の倍率のばらつきを小さくすることができる。従って、簡単な構成で読取画像の倍率不良を低減することができる。
【図面の簡単な説明】
【００１８】
【図１】本発明の第１実施形態の画像形成装置の部分垂直断面正面図
【図２】本発明の第１実施形態の画像読取装置の垂直断面正面図
【図３】本発明の第１実施形態の画像読取装置のガイド部材近傍の上面図
【図４】本発明の第１実施形態の画像読取装置のガイド部材近傍の正面図であり、コロの回転可能状態を示す正面図
【図５】本発明の第１実施形態の画像読取装置のコロの回転停止状態を示す正面図
【図６】本発明の第１実施形態の画像読取装置のコロの回転可能状態の原稿サイズ別の読取画像の倍率を示す図
【図７】本発明の第１実施形態の画像読取装置のコロの回転停止状態の原稿サイズ別の読取画像の倍率を示す図
【図８】本発明の第２実施形態の画像読取装置のガイド部材近傍を示す上面図
【図９】本発明の第２実施形態の画像読取装置の可変部の概略構造を示す側面図
【図１０】本発明の第２実施形態の画像読取装置のコロを外側に移動した状態を示す上面図
【図１１】本発明の第３実施形態の画像読取装置のガイド部材近傍を示す上面図
【図１２】本発明の第３実施形態の画像読取装置の原稿サイズ別の読取画像の倍率を示す図
【図１３】比較例の画像読取装置の原稿サイズ別の読取画像の倍率を示す図
【発明を実施するための形態】
【００１９】
以下、図面を参照して本発明の実施形態を説明する。なお、本発明は以下の内容に限定されるものではない。
【００２０】
＜第１実施形態＞
最初に、本発明の第１実施形態の画像形成装置について、図１を用いてその構造の概略を説明しつつ、画像出力動作を説明する。図１は画像形成装置の部分垂直断面正面図の一例である。なお、図中の矢印付き二点鎖線は用紙の搬送経路及び搬送方向を示す。また、図１の上下方向、左右方向及び紙面奥行き方向が画像形成装置の上下方向、左右方向及び奥行き方向である。
【００２１】
画像形成装置１は、図１に示すように所謂タンデム型のカラー複写機であり、原稿の画像を読み取るための画像読取装置４０と、読み取った画像を用紙等の転写材に印刷する印刷部３と、印刷条件の入力や稼働状況の表示を行うための操作部４と、主制御部５とを備える。
【００２２】
画像読取装置４０は読取ユニット５０及び原稿搬送ユニット６０を備え、画像形成装置１の上部に設けられる。画像読取装置４０は読取ユニット５０の上面に載置された１枚の原稿の画像を読み取る、また読取ユニット５０と原稿搬送ユニット６０とを利用して複数枚の原稿の画像を１枚ずつ自動的に読み取ることができる。原稿の画像は赤（Ｒ）、緑（Ｇ）、青（Ｂ）の三色に色分解され、後述するイメージセンサーで電気信号に変換される。これにより、画像読取装置４０は赤（Ｒ）、緑（Ｇ）、青（Ｂ）の色別の画像データを得る。画像読取装置４０の構成の詳細は後述する。
【００２３】
画像読取装置４０が原稿から得た色別の画像データは主制御部５において各種処理が行われ、イエロー（Ｙ）、マゼンタ（Ｍ）、シアン（Ｃ）、ブラック（Ｋ）の各再現色の画像データに変換されて主制御部５の内部のメモリー（不図示）に格納される。メモリーに格納された再現色別の画像データは位置ずれ補正のための処理を受けた後、像担持体である感光体ドラム２１に対する光走査を行うために用紙の搬送と同期して走査ラインごとに読み出される。
【００２４】
印刷部３は電子写真方式によって画像を形成し、その画像を用紙等に転写する。印刷部３は中間転写体を無端状のベルトとして形成した中間転写ベルト１１を備える。中間転写ベルト１１は駆動ローラ１２、テンションローラ１３及び従動ローラ１４に巻き掛けられる。中間転写ベルト１１には、テンションローラ１３が不図示のバネによって図１における上方に付勢されることにより張力が与えられる。中間転写ベルト１１は駆動ローラ１２によって図１における反時計回りに回転移動する。
【００２５】
駆動ローラ１２は中間転写ベルト１１を挟んで対向する二次転写ローラ１５に圧して接触する。従動ローラ１４の箇所では、中間転写ベルト１１を挟んで従動ローラ１４に対向するように設けられた中間転写クリーニング部１６が中間転写ベルト１１の外周面に接触する。中間転写クリーニング部１６は中間転写ベルト１１の外周面に形成されたトナー像が用紙Ｐに転写された後、中間転写ベルト１１の外周面に残留したトナーなどの付着物を除去してクリーニングする。
【００２６】
中間転写ベルト１１の下方にはイエロー（Ｙ）、マゼンタ（Ｍ）、シアン（Ｃ）、ブラック（Ｋ）の各再現色に対応する画像形成部２０Ｙ、２０Ｍ、２０Ｃ、２０Ｋが設けられる。なお、この説明において、特に限定する必要がある場合を除き、「Ｙ」、「Ｍ」、「Ｃ」、「Ｋ」の識別記号の記載を省略して、例えば「画像形成部２０」と総称することがある。
【００２７】
４台の画像形成部２０は中間転写ベルト１１の回転方向に沿って、回転方向の上流側から下流側に向けて一列にして配置される。４台の画像形成部２０は構成がすべて同じであり、図１における時計回りに回転する感光体ドラム２１を中心としてその周囲に帯電部、露光部、現像部、ドラムクリーニング部及び一次転写ローラを備える。
【００２８】
中間転写ベルト１１の上方には、４台の各再現色の画像形成部２０に対応するトナーボトル３１及びトナーホッパー３２が設けられる。現像部及びトナーホッパー３２に対しては各々の内部のトナーの残量を検出する不図示の残量検出部が設けられる。また、現像部とトナーホッパー３２との間及びトナーホッパー３２とトナーボトル３１との間には各々不図示のトナーの補給装置が設けられる。
【００２９】
残量検出部によって現像部の内部のトナーの残量の低下が検出されると、補給装置がトナーホッパー３２から現像部にトナーを補給するように駆動する。さらに、残量検出部によってトナーホッパー３２の内部のトナーの残量の低下が検出されると、補給装置がトナーボトル３１からトナーホッパー３２にトナーを補給するように駆動する。トナーボトル３１は装置本体に対して着脱可能に設けられ、適宜新しいものと交換することができる。
【００３０】
４台の画像形成部２０の下方には用紙供給装置９１が設けられる。用紙供給装置９１はその内部に複数の用紙Ｐを積載して収容し、供給部９２によって用紙束の最上層から順に用紙Ｐを１枚ずつ用紙搬送路Ｑに送り出す。用紙供給装置９１から用紙搬送路Ｑに送り出された用紙Ｐはレジストローラ対９４の箇所に到達する。そして、レジストローラ対９４が用紙Ｐの斜め送りを矯正（スキュー補正）しつつ中間転写ベルト１１の回転と同期をとって、中間転写ベルト１１と二次転写ローラ１５との接触部（二次転写ニップ部）に向けて用紙Ｐを送り出す。
【００３１】
画像形成部２０では帯電部及び露光部によって感光体ドラム２１の表面に静電潜像が形成され、その静電潜像が現像部によってトナー像として可視像化される。感光体ドラム２１の表面に形成されたトナー像は感光体ドラム２１が中間転写ベルト１１を挟んで一次転写ローラと対向する箇所において中間転写ベルト１１の外周面に一次転写される。そして、中間転写ベルト１１の回転とともに所定のタイミングで各画像形成部２０のトナー像が順次中間転写ベルト１１に転写されることにより、中間転写ベルト１１の外周面にはイエロー、マゼンタ、シアン、ブラックの４色のトナー像が重ね合わされたカラートナー像が形成される。
【００３２】
中間転写ベルト１１の外周面に一次転写されたカラートナー像はレジストローラ対９４により同期をとって送られてきた用紙Ｐに、中間転写ベルト１１と二次転写ローラ１５とが接触して形成される二次転写ニップ部にて転写される。
【００３３】
二次転写ニップ部の上方には定着部９５が備えられる。二次転写ニップ部にて未定着トナー像が転写された用紙Ｐは定着部９５へと送られて加熱ローラ及び加圧ローラに挟まれ、トナー像が加熱、加圧されて用紙Ｐに溶融定着される。定着部９５を通過した用紙Ｐは中間転写ベルト１１の上方に設けられた用紙排出部９６に排出される。
【００３４】
操作部４は画像形成装置１の上部の正面側に設けられる。操作部４は、例えばユーザーによる印刷に使用する用紙Ｐの種類やサイズ、拡大縮小、両面印刷の有無といった印刷条件などの設定の入力や、ファクシミリ送信におけるファックス番号や送信者名などの設定の入力を受け付ける。また、操作部４は、例えば装置の状態や注意事項、エラーメッセージなどを表示部４ｗに表示することによって、それらをユーザーに対して報知するための報知部としての役割も果たす。
【００３５】
また、画像形成装置１にはその全体の動作制御のため、不図示のＣＰＵや画像処理部、その他の図示しない電子部品で構成された主制御部５が設けられる。主制御部５は中央演算処理装置であるＣＰＵと画像処理部とを利用し、メモリーに記憶、入力されたプログラム、データに基づき画像読取装置４０や印刷部３などといった構成要素を制御して一連の画像形成動作、印刷動作を実現する。
【００３６】
続いて、画像形成装置１の画像読取装置４０の構成とその動作について、図２を用いて説明する。図２は画像読取装置４０の垂直断面正面図である。なお、図２における上下方向、左右方向及び紙面奥行き方向が画像形成装置１及び画像読取装置４０の上下方向、左右方向及び前後方向を示す。また、図２に記した矢印Ｘが原稿搬送方向を示し、矢印Ｙが原稿搬送方向に交差する原稿幅方向を示し、以下の図においても同様である。
【００３７】
画像読取装置４０は、図２に示すように画像形成装置本体の上部に設けられた読取ユニット５０と、画像形成装置本体の上面に載置された開閉ユニットである原稿搬送ユニット６０とを備える。
【００３８】
読取ユニット５０はコンタクトガラス５１ａ，５１ｂ、照明部５２、走査部５３、レンズ５４、イメージセンサー５５及び読取制御部５６を有する。
【００３９】
コンタクトガラス５１ａ，５１ｂは読取ユニット５０の上面に設けられる。コンタクトガラス５１ａは搬送読取用コンタクトガラスであり、コンタクトガラス５１ｂは載置読取用コンタクトガラス５１ｂである。なお、以下の説明において特に限定する必要がある場合を除き、これらを総じて「コンタクトガラス５１」と称する場合がある。
【００４０】
コンタクトガラス５１は比較的薄い平板状の透明ガラスで構成される。搬送読取用コンタクトガラス５１ａは読取ユニット５０の前後方向（原稿幅方向）に比較的長く延びる矩形形状を成す。これにより、搬送読取用コンタクトガラス５１ａの上方を通過する原稿の画像を主走査方向（原稿幅方向、図２の矢印Ｙ方向）に延びるライン単位で光走査できる。載置読取用コンタクトガラス５１ｂは原稿の表面全体を一度に光走査できるように読取ユニット５０の左右方向（原稿搬送方向、図２の矢印Ｘ方向）及び前後方向（原稿幅方向）に広く延びる矩形形状を成す。
【００４１】
原稿の画像を１枚ずつ個別に読み取らせる場合、原稿は載置読取用コンタクトガラス５１ｂの上面に読取面が下になるように広げて載置される。ゆえに、載置読取用コンタクトガラス５１ｂを原稿台５０ａと呼ぶことがある。
【００４２】
照明部５２はコンタクトガラス５１のすぐ下方に配置される。照明部５２は光源として例えばＬＥＤ（light emitting diode）を備える。また、導光板などを備えることにしても良い。照明部５２は原稿の読取面に向けて、すなわち上方に向けて光を照射する。
【００４３】
走査部５３はコンタクトガラス５１の下方に設けられ、第１移動体５３ａ、第２移動体５３ｂ、ワイヤ５３ｃ及び巻き取りドラム５３ｄを備える。
【００４４】
走査部５３の第１移動体５３ａは照明部５２を支持するとともに、コンタクトガラス５１の下方に配置される第１ミラー５７ａを備える。第１ミラー５７ａは原稿の読取面で反射した照明部５２の反射光を受けて、さらに９０度の角度で略水平に方向転換させるべく所定の傾きが設定される。
【００４５】
走査部５３の第２移動体５３ｂは第２ミラー５７ｂと、第３ミラー５７ｃとを備える。第２ミラー５７ｂは第１ミラー５７ａと略同じ高さに配置され、第３ミラー５７ｃは第２ミラー５７ｂの略真下に配置される。第２ミラー５７ｂは第１移動体５３ａの第１ミラー５７ａが反射させた光を受けて、さらに９０度の角度で略垂直下方に方向転換させるべく所定の傾きが設定される。第３ミラー５７ｃは第２ミラー５７ｂが反射させた光を受けて、さらに９０度の角度で略水平に方向転換させるべく所定の傾きが設定される。
【００４６】
なお、第１移動体５３ａ及び第２移動体５３ｂに設けられた各ミラーは照明部５２同様、主走査方向（原稿幅方向、読取ユニット５０の前後方向）にコンタクトガラス５１と略同じ長さで延びる細長い形状で構成される。
【００４７】
ワイヤ５３ｃは第１移動体５３ａ及び第２移動体５３ｂに接続されるとともに、巻き取りドラム５３ｄに巻き掛けられる。不図示のモーターで巻き取りドラム５３ｄを回転させると、第１移動体５３ａ及び第２移動体５３ｂがコンタクトガラス５１の上面と平行に副走査方向（原稿搬送方向、読取ユニット５０の左右方向）に往復移動する。これにより、読み取りライン（照明部５２による照射位置）を副走査方向に移動させることができる。このため、原稿の画像を１枚ずつ個別に読み取らせる場合に、原稿台５０ａの上面に広げて載置された原稿の読取面全体の画像を読み取ることができる。
【００４８】
レンズ５４及びイメージセンサー５５は読取ユニット５０の下部に設けられる。第２移動体５３ｂの第３ミラー５７ｃによって反射された、原稿の読取面からの反射光はレンズ５４に入射して集光される。レンズ５４はその反射光を光路の下流側に設けられたイメージセンサー５５の表面上に結像する。これにより、画像読取装置４０はイメージセンサー５５を用いてコンタクトガラス５１上の原稿の読取面の画像を画像データとして読み取ることができる。
【００４９】
なお、イメージセンサー５５は例えば固体撮像素子であるＣＣＤ（Charge Coupled Device）を画像読取装置４０の前後方向である主走査方向、すなわち図２における紙面奥行き方向（矢印Ｙ方向）に複数個直線状に一列にして配列されて構成される。イメージセンサー５５は入射光を電気信号に光電変換し、画像情報として出力する。そして、原稿の読取面をイメージセンサー５５で主走査方向に走査させ、走査部５３を駆動して照明部５２を副走査方向に走査させる。これにより得られる情報について読取制御部５６が画像処理を実行することにより、原稿の画像を画像データとして得ることが可能である。
【００５０】
読取制御部５６は処理回路やメモリー等のＩＣやその他の電子部品を含み、主制御部５から指令を受けて読取ユニット５０の動作を制御する制御部である。読取制御部５６は主制御部５からの制御指令に基づき走査部５３を駆動制御するとともに、イメージセンサー５５からの出力信号に対して画像処理を実行して画像データを出力する。このようにして、読取制御部５６は画像読取動作を実現する。
【００５１】
原稿搬送ユニット６０はコンタクトガラス５１（原稿台５０ａ）と対向する形でその上方に設けられる。原稿搬送ユニット６０はコンタクトガラス５１の表面全体をカバーする直方体形状を成すユニットである。
【００５２】
原稿搬送ユニット６０は読取ユニット５０の背面側に設けられた左右方向に略水平に延びる不図示の２箇所の支軸を中心として、読取ユニット５０に対して揺動可能に取り付けられる。これにより、原稿搬送ユニット６０はその正面側部分を自由端として上下に振るようにして揺動する開閉ユニットであって、原稿台５０ａの表面の開放、閉鎖が可能である。なお、図２は原稿搬送ユニット６０により原稿台５０ａの表面を閉鎖した状態を描いている。
【００５３】
原稿搬送ユニット６０の下面であって、閉鎖したときに原稿台５０ａに対向する一面には原稿背景部である原稿マット６０ａが設けられる。原稿マット６０ａは例えばスポンジ等の弾性部材を含んで表面が白色を成し、載置読取用コンタクトガラス５１ｂの全域をカバーする位置及び大きさを成す。原稿搬送ユニット６０で原稿台５０ａの表面を閉鎖したとき、原稿マット６０ａは原稿台５０ａに載置された原稿に上方から圧して接触し、その全面を均一に加圧するように密着して原稿を移動しないように保持する。
【００５４】
原稿搬送ユニット６０は原稿マット６０ａに加えて、給紙トレイ６１、排紙トレイ６２及び搬送部７０を有する。
【００５５】
給紙トレイ６１は原稿搬送ユニット６０の上部に配置された原稿の載置部である。給紙トレイ６１には原稿を上方から載置して積み上げることができる。給紙トレイ６１は原稿搬送方向（原稿搬送ユニット６０の左右方向）の上流から下流に向かって、すなわち図２において右方から左方に向かって下る傾斜を有する。
【００５６】
給紙トレイ６１の原稿搬送方向下流部には原稿の押し上げ部６１ａが設けられる。押し上げ部６１ａは給紙トレイ６１の原稿載置面に沿った形状を成す。押し上げ部６１ａはその上流端に設けられて原稿幅方向に延びる不図示の支軸を中心とし、下流端を自由端として垂直面内で回転可能にして設けられる。押し上げ部６１ａは原稿の供給時に、不図示のモーター等によって支軸を中心として回転する。これにより、給紙トレイ６１に積み上げられた原稿の下流端がその上方に配置された供給ローラ７２に接触するように上方に向かって付勢される。
【００５７】
搬送部７０は給紙トレイ６１の原稿搬送方向の下流端に原稿供給口７１と、供給ローラ７２とを備える。供給ローラ７２は給紙トレイ６１に積み上げられた原稿を最上層から１枚ずつ分離して搬送部７０の内部へと供給し、搬送する。原稿供給口７１の下流側には搬送部７０の内部に向かって原稿搬送路７３が延びる。
【００５８】
原稿搬送路７３にはレジストローラ対７４が設けられる。レジストローラ対７４は原稿の斜め送りを矯正（スキュー補正）した後、原稿をさらに搬送方向下流へと送り出す。また、原稿搬送路７３の各所には複数の搬送ローラ７５が設けられる。
【００５９】
原稿搬送路７３の、レジストローラ対７４の原稿搬送方向下流は原稿搬送ユニット６０の底面に到達し、この箇所に第１搬送読取部８０（読取部）が設けられる。第１搬送読取部８０を挟んで上流側に搬送ローラ７５ａ（第１ローラ）が配され、下流側に搬送ローラ７５ｂ（第２ローラ）が配される。また、搬送ローラ７５ａ、７５ｂ間には第１搬送読取部８０に原稿を案内するガイド部材１００が設けられる。後述するように、ガイド部材１００は複数のコロ１０４（図３に図示）により形成される。
【００６０】
第１搬送読取部８０に送り込まれた原稿は原稿搬送路７３上をさらに下流側へ、すなわち図２において第１搬送読取部８０の箇所を左方から右方へと移動する。この最中に、第１搬送読取部８０の下方に設けられた読取ユニット５０で下側の面である第１面の画像データが読み取られる。
【００６１】
なお、第１搬送読取部８０の下方には搬送読取用コンタクトガラス５１ａが配置される。第１搬送読取部８０で原稿の画像を読み取る場合、照明部５２を支持する走査部５３の第１移動体５３ａが搬送読取用コンタクトガラス５１ａ（第１搬送読取部８０）の下方に移動する。そして、イメージセンサー５５を用いて原稿の下側の面（第１面）の画像データが読み取られる。
【００６２】
原稿搬送路７３の第１搬送読取部８０よりも原稿搬送方向下流には第２搬送読取部７６が設けられる。なお、第２搬送読取部７６は不図示のコンタクトガラス、照明部及びイメージセンサーを含む。第２搬送読取部７６を挟んで上流側に搬送ローラ７５ｂが配され、下流側に搬送ローラ７５ｃが配される。
【００６３】
原稿の両面の画像データの読み取りが必要な場合、第２搬送読取部７６に送り込まれた原稿は原稿搬送路７３上をさらに下流側へ、すなわち図２において第２搬送読取部７６の箇所を左方から右方へと移動する。この最中に、原稿の上方に設けられた第２搬送読取部７６で上側の面である第２面の画像データが読み取られる。
【００６４】
原稿搬送路７３の下流端には原稿排出口７７が設けられる。画像データの読み取りが済んだ原稿は原稿排出口７７から排紙トレイ６２に排出される。排紙トレイ６２は給紙トレイ６１のすぐ下方に備えられ、これらのトレイが上下二段にして構成される。排紙トレイ６２に排出された原稿は原稿搬送ユニット６０の正面側から取り出すことができる。
【００６５】
給紙トレイ６１と、排紙トレイ６２とは互いの原稿搬送方向を逆にして、すなわち図２において給紙トレイ６１は原稿を左方に向かって送り出し、排紙トレイ６２は原稿を左方から受け取る形にして構成される。これにより、原稿供給口７１から原稿排出口７７まで延びる原稿搬送路７３は、図２に示すようにＵ字状に湾曲した構成を横方向に傾けた形態で設けられる。そして、不図示の搬送制御部が原稿の搬送を制御する。
【００６６】
搬送制御部は処理回路やメモリー等のＩＣやその他の電子部品を含み、主制御部５から指令を受けて原稿搬送ユニット６０の動作を制御する。搬送制御部は主制御部５からの制御指令に基づき給紙トレイ６１に載置された原稿を押し上げ部６１ａ及び供給ローラ７２を駆動させて１枚ずつ分離して搬送部７０の内部に供給する。さらに、搬送制御部はレジストローラ対７４及び搬送ローラ７５を駆動させて第１搬送読取部８０及び第２搬送読取部７６でその画像データを読み取らせた後、排紙トレイ６２に排出する。このようにして、搬送制御部は原稿の搬送動作を実現する。
【００６７】
図３、図４はガイド部材１００の近傍の上面図及び正面図を示している。ガイド部材１００はそれぞれ複数のコロ１０４を有したコロ列１０１、１０２、１０３を備えている。各コロ１０４は搬送ローラ７５の回転軸に平行な回転軸で回転可能に設けられる。コロ列１０１は第１搬送読取部８０（図２参照）の上流側に配される。コロ列１０２は第１搬送読取部８０（図２参照）の下流側に配され、コロ列１０３はコロ列１０２の下流側に配される。
【００６８】
搬送部７０によりサイズの異なる原稿Ｒが搬送される。本実施形態では横幅（原稿搬送方向に直交する方向（Ｙ方向）の幅）の小さい順に、ハーフレター縦（ＩＮＶＴ）、Ａ５縦（Ａ５Ｔ）、Ｂ５縦（Ｂ５Ｔ）、Ａ５横（Ａ５Ｙ）、ハーフレター横（ＩＮＶＹ）の各サイズの原稿Ｒが搬送される。
【００６９】
Ａ５縦サイズが接触するコロ１０４ａ（図３においてハッチングで示す）の上方には、可変部１１０（図４に図示）が設けられる。可変部１１０は軸部１１２ａで回転可能な断面楕円形のカム１１２と、カム１１２の下方に配される断面Ｌ字型の接離部材１１１とを備えている。なお、接離部材１１１は上方に付勢される。
【００７０】
図４に示すようにカム１１２の短径方向を上下方向に配置すると、接離部材１１１がコロ１０４ａから離れる。これにより、コロ１０４ａは回転可能な状態に配される。図４の状態からカム１１２を９０゜回転して図５に示すように長径方向を上下方向に配置すると、接離部材１１１の下端がコロ１０４ａに当接する。これにより、コロ１０４ａは回転を停止された状態に切り替えられる。
【００７１】
回転可能なコロ１０４ａは原稿Ｒ上を転動するため、ガイド部材１００の搬送抵抗が小さく原稿Ｒの搬送速度が速くなる。回転を停止されたコロ１０４ａは原稿Ｒ上を摺動するため、ガイド部材１００の搬送抵抗が大きく原稿Ｒの搬送速度が遅くなる。このため、可変部１１０によってガイド部材１００の搬送抵抗が可変される。
【００７２】
上記構成の画像読取装置４０において、原稿ＲがＡ５横及びハーフレター横の場合に、接離部材１１１がコロ１０４ａから離れる。横幅（搬送方向に直交する方向の幅）の大きい原稿Ｒは搬送部７０全体に対して搬送抵抗が大きい。このため、ガイド部材１００の搬送抵抗を小さくして原稿Ｒが搬送される。
【００７３】
また、原稿Ｒがハーフレター縦、Ａ５縦及びＢ５縦の場合に、接離部材１１１がコロ１０４ａに当接する。横幅の小さい原稿Ｒは搬送部７０全体に対して搬送抵抗が小さい。このため、ガイド部材１００の搬送抵抗を大きくして原稿Ｒが搬送される。
【００７４】
これにより、サイズの異なる原稿Ｒに対して搬送速度の速度差を低減し、第１搬送読取部８０による読取画像の倍率のばらつきを小さくすることができる。従って、読取画像の倍率不良を低減することができる。
【００７５】
図６、図７は原稿Ｒのサイズ別の読取画像の倍率を示す図である。縦軸は読取画像の倍率（単位：％）を示し、横軸は原稿Ｒのサイズを示している。図中、Ａ、Ｂ、Ｃは原稿Ｒの紙種が異なり、それぞれ坪量が５０ｇ、１２８ｇ、２１０ｇである。また、図６は全サイズにおいてコロ１０４ａが回転可能な状態に配され、図７はハーフレター縦、Ａ５縦及びＢ５縦においてコロ１０４ａが回転を停止された状態に配されている。
【００７６】
図６、図７によると、坪量が５０ｇ及び１２８ｇの原稿Ｒは剛度が小さいため、サイズ及び搬送抵抗による倍率の変動が小さい。一方、坪量が２１０ｇの原稿Ｒは剛度が大きいため、サイズの大きい場合に搬送抵抗が大きくサイズの小さい場合に搬送抵抗が小さくなり、読取画像の倍率のばらつきが大きくなる。
【００７７】
このため、ハーフレター縦、Ａ５縦及びＢ５縦においてコロ１０４ａの回転を停止することにより、搬送抵抗が増加して読取画像の倍率を大きくすることができる。これにより、読取画像の倍率のばらつきを約０．０７ポイント低減することができる。
【００７８】
なお、操作部４により紙種を入力可能にし、紙種に応じて可変部１１０により搬送抵抗を可変してもよい。
【００７９】
本実施形態によると、原稿Ｒを案内するガイド部材１００の搬送抵抗を可変する可変部１１０を備え、原稿Ｒのサイズに応じて可変部１１０により搬送抵抗を可変するので、原稿Ｒのサイズによる読取画像の倍率のばらつきを小さくすることができる。従って、簡単な構成で読取画像の倍率不良を低減することができる。
【００８０】
また、ガイド部材１００が複数のコロ１０４から成るので、搬送抵抗の小さいガイド部材１００を容易に実現できる。このため、コロ１０４ａの回転を停止することにより搬送抵抗を容易に可変することができる。
【００８１】
また、可変部１１０により所定のコロ１０４ａの回転を停止させる状態と回転可能な状態とに切り替えるので、搬送抵抗を可変する可変部１１０を容易に実現することができる。
【００８２】
また、可変部１１０がコロ１０４ａに接離する接離部材１１１を有するので、コロ１０４ａの回転を停止させる状態と回転可能な状態とに容易に切り替えることができる。
【００８３】
＜第２実施形態＞
次に、図８は第２実施形態の画像読取装置４０のガイド部材１００の近傍の上面図を示している。説明の便宜上、前述の図１〜図５に示す第１実施形態と同様の部分には同一の符号を付している。本実施形態はガイド部材１００のコロ１０４の配置が第１実施形態と異なり、可変部１１０（図５参照）に替えて可変部１２０（図９に図示）が設けられる。その他の部分は第１実施形態と同様である。
【００８４】
ガイド部材１００のコロ列１０１、１０２、１０３は、Ａ５縦サイズのＹ方向の幅内にコロ１０４ｂ及びコロ１０４ｃが配される。コロ１０４ｂは原稿Ｒの中央部に配置され、コロ１０４ｃはＡ５縦サイズの幅内の両端部に配される。コロ１０４ｃは可変部１２０（図９参照）により搬送方向に直交する方向（Ｙ方向）に移動可能になっている。
【００８５】
図９は可変部１２０の概略構造を示す側面図である。可変部１２０はコロ１０４ｃを保持するホルダー１２１、１２２及びピニオン１２３を備えている。ホルダー１２１は軸方向の一方の端部のコロ１０４ｃを保持し、ホルダー１２２は軸方向の他方の端部のコロ１０４ｃを保持する。ホルダー１２１は軸方向に延びるラック１２１ａを有し、ホルダー１２２は軸方向に延びてラック１２１ａに対向する１２２ａを有している。
【００８６】
ピニオン１２３はラック１２１ａ及びラック１２２ａに噛合し、モーター（不図示）により回転駆動される。ピニオン１２３の回転によって軸方向の両端部のコロ１０４ｃはＹ方向の互いに離れる方向及び互いに近づく方向に移動することができる。
【００８７】
上記構成の画像読取装置４０において、原稿ＲがＡ５横及びハーフレター横の場合に、図８に示すようにコロ１０４ｃがＡ５縦の横幅の両端部に配置される。これにより、原稿Ｒにはコロ１０４ｂ及びコロ１０４ｃが接触し、ガイド部材１００の搬送抵抗を小さくして原稿Ｒが搬送される。
【００８８】
また、原稿Ｒがハーフレター縦、Ａ５縦及びＢ５縦の場合に、図１０に示すようにコロ１０４ｃがＡ５縦の横幅の両外側であってＡ５横の横幅の内側に配置される。これにより、ハーフレター縦及びＡ５縦の原稿Ｒにはコロ１０４ｂが接触し、コロ１０４ｃが接触しない。また、Ｂ５縦の原稿Ｒにはコロ１０４ｂが接触し、コロ１０４ｃの接触幅が小さい。このため、ガイド部材１００の搬送抵抗を大きくして原稿Ｒが搬送される。
【００８９】
これにより、サイズの異なる原稿Ｒに対して搬送速度の速度差を低減し、第１搬送読取部８０による読取画像の倍率のばらつきを小さくすることができる。従って、読取画像の倍率不良を低減することができる。
【００９０】
なお、操作部４により紙種を入力可能にし、紙種に応じて可変部１２０により搬送抵抗を可変してもよい。
【００９１】
本実施形態によると、原稿Ｒを案内するガイド部材１００の搬送抵抗を可変する可変部１２０を備え、原稿Ｒのサイズに応じて可変部１２０により搬送抵抗を可変するので、原稿Ｒのサイズによる読取画像の倍率のばらつきを小さくすることができる。従って、簡単な構成で読取画像の倍率不良を低減することができる。
【００９２】
また、ガイド部材１００が複数のコロ１０４から成るので、搬送抵抗の小さいガイド部材１００を容易に実現できる。このため、コロ１０４ｃを移動させることにより搬送抵抗を容易に可変することができる。
【００９３】
また、可変部１２０により所定のコロ１０４ｃが原稿Ｒの搬送方向に直交する方向に移動するので、搬送抵抗を可変する可変部１２０を容易に実現することができる。
【００９４】
＜第３実施形態＞
次に、図１１は第３実施形態の画像読取装置４０のガイド部材１００の近傍の上面図を示している。説明の便宜上、前述の図１〜図５に示す第１実施形態と同様の部分には同一の符号を付している。本実施形態はガイド部材１００のコロ１０４の配置が第１実施形態と異なっている。その他の部分は第１実施形態と同様である。
【００９５】
ガイド部材１００のコロ列１０１、１０２、１０３は、Ａ５縦サイズのＹ方向の幅内の中央部にコロ１０４ｂが配置される。また、Ａ５縦サイズのＹ方向の幅の両外側で、Ａ５横サイズのＹ方向の両端部にコロ１０４ｃが配置される。
【００９６】
上記構成の画像読取装置４０において、Ａ５横及びハーフレター横の原稿Ｒの中央部にはコロ１０４ｂが接触し、両端部にはコロ１０４ｃが接触する。これにより、ガイド部材１００の搬送抵抗を小さくして原稿Ｒが搬送される。
【００９７】
また、ハーフレター縦及びＡ５縦の原稿Ｒの中央部にはコロ１０４ｂが接触し、両端部はコロ１０４が非接触となる。このため、原稿Ｒに接触するコロ１０４の数がＡ５横及びハーフレター横の原稿Ｒよりも少ない。また、Ｂ５縦の原稿Ｒの中央部にはコロ１０４ｂが接触し、両端部はコロ１０４ｃの接触幅が小さい。このため、ガイド部材１００の搬送抵抗を大きくして原稿Ｒが搬送される。
【００９８】
これにより、サイズの異なる原稿Ｒに対して搬送速度の速度差を低減し、第１搬送読取部８０による読取画像の倍率のばらつきを小さくすることができる。従って、読取画像の倍率不良を低減することができる。
【００９９】
なお、ハーフレター縦及びＡ５縦の原稿Ｒに対して、Ｙ方向の中央部がコロ１０４ｂに接触して両端部がコロ１０４ｃに非接触となる。このため、コロ１０４がＹ方向に偏りなく原稿Ｒに接触するとともに接触幅を小さくすることができる。従って、搬送抵抗を大きく安定して原稿Ｒを搬送することができる。
【０１００】
図１２は本実施形態の原稿Ｒのサイズ別の読取画像の倍率を示す図である。また、図１３は比較例の原稿Ｒのサイズ別の読取画像の倍率を示す図である。比較例はコロ１０４ｃをＡ５縦の横幅の両端部に配置している。図１２、図１３において、縦軸は読取画像の倍率（単位：％）を示し、横軸は原稿Ｒのサイズを示している。図中、Ａ、Ｂ、Ｃは原稿Ｒの紙種が異なり、それぞれ坪量が５０ｇ、１２８ｇ、２１０ｇである。
【０１０１】
図１２、図１３によると、コロ１０４ｃをＡ５縦の横幅の両端部に配置すると（比較例）、ハーフレター縦、Ａ５縦及びＢ５縦の原稿に対して搬送抵抗が小さいため読取画像の倍率が小さい。これに対し、コロ１０４ｃをＡ５縦の横幅の両外側に配置すると、ハーフレター縦、Ａ５縦及びＢ５縦の原稿に対して搬送抵抗が増加し、読取画像の倍率を大きくすることができる。これにより、読取画像の倍率のばらつきを約０．１１ポイント低減することができる。
【０１０２】
本実施形態によると、原稿Ｒのサイズに応じて原稿Ｒに接触するコロ１０４の数が異なるため、原稿Ｒのサイズによる読取画像の倍率のばらつきを小さくすることができる。従って、簡単な構成で読取画像の倍率不良を低減することができる。
【０１０３】
また、所定のサイズ（Ａ５縦）よりも小さい原稿Ｒに対して搬送方向に直交する方向の中央部がコロ１０４ｂに接触して両端部がコロ１０４に非接触であり、該サイズよりも大きい原稿に対して搬送方向に直交する方向の両端部がコロ１０４ｃに接触する。このため、サイズの大きい原稿Ｒに対してガイド部材の搬送抵抗を容易に小さくすることができる。また、サイズの小さい原稿Ｒに対して搬送抵抗を大きく安定して搬送することができる。
【０１０４】
以上、本発明の実施形態につき説明したが、本発明の範囲はこれに限定されるものではなく、発明の主旨を逸脱しない範囲で種々の変更を加えて実施することができる。
【０１０５】
上記各実施形態では画像形成装置１が中間転写ベルト１１を用いて複数色の画像を順次重ねて形成する所謂タンデム型のカラー印刷用画像形成装置であるが、このような機種に限定されるわけではなく、タンデム型ではないカラー印刷用画像形成装置やモノクロ印刷用の画像形成装置であっても構わない。
【産業上の利用可能性】
【０１０６】
本発明は画像読取装置及び画像形成装置において利用可能である。
【符号の説明】
【０１０７】
１      画像形成装置
３      印刷部
４      操作部
５      主制御部
１１      中間転写ベルト
１２      駆動ローラ
１３      テンションローラ
１４      従動ローラ
１５      二次転写ローラ
１６      中間転写クリーニング部
２０      画像形成部
２１      感光体ドラム
３１      トナーボトル
３２      トナーホッパー
４０      画像読取装置
５０      読取ユニット
５１ａ    搬送読取用コンタクトガラス
５１ｂ    載置読取用コンタクトガラス
５２      照明部
５３      走査部
５３ａ    第１移動体
５３ｂ    第２移動体
５３ｃ    ワイヤ
５３ｄ    ドラム
５４      レンズ
５５      イメージセンサー
５６      読取制御部
６０      原稿搬送ユニット
６１      給紙トレイ
６２      排紙トレイ
７０      搬送部
７１      原稿供給口
７２      供給ローラ
７３      原稿搬送路
７４、９４  レジストローラ対
７５、７５ａ、７５ｂ、７５ｃ  搬送ローラ
７６      第２搬送読取部
７７      原稿排出口
８０      第１搬送読取部（読取部）
９１      用紙供給装置
９２      供給部
９５      定着部
９６      用紙排出部
１００      ガイド部材
１０１、１０２、１０３  コロ列
１０４、１０４ａ、１０４ｂ、１０４ｃ  コロ
１１０、１２０  可変部
１１１      接離部材
１１２      カム
１２１、１２２  ホルダー
１２１ａ、１２２ａ  ラック
１２３      ピニオン
Ｐ      用紙
Ｑ      用紙搬送路
Ｒ      原稿
【図１】
2018074453.tif 000003
【図２】
2018074453.tif 000004
【図３】
2018074453.tif 000005
【図４】
2018074453.tif 000006
【図５】
2018074453.tif 000007
【図６】
2018074453.tif 000008
【図７】
2018074453.tif 000009
【図８】
2018074453.tif 000010
【図９】
2018074453.tif 000011
【図１０】
2018074453.tif 000012
【図１１】
2018074453.tif 000013
【図１２】
2018074453.tif 000014
【図１３】
2018074453.tif 000015